(57)【要約】【課題】  陽電子放射断層診断装置において使用される１８Ｆ  ＦＤＧ（フルオロデオキシグルコース）を合成する合成室内から発生するガス状の放射性物質を監視しつつ効率よく捕集できる合成室を提供する。【解決手段】  陽電子放射断層診断装置において診断薬として用いられる１８Ｆ  ＦＤＧ（フルオロデオキシグルコース）を合成する合成室において、合成室の排気口に放射性物質を除去するための活性炭素繊維フィルターが配設されていること、及び活性炭素繊維フィルターの上流側及び下流側に各側の放射線量を測定するための放射線測定装置が取付けられていることを特徴とする１８Ｆ  ＦＤＧ（フルオロデオキシグルコース）合成室。【選択図】  図１
2010127662.tif 000002
【特許請求の範囲】
【請求項１】
陽電子放射断層診断装置において診断薬として用いられる１８Ｆ  ＦＤＧ（フルオロデオキシグルコース）を合成する合成室において、合成室の排気口に放射性物質を除去するための活性炭素繊維フィルターが配設されていること、及び活性炭素繊維フィルターの上流側及び下流側に各側の放射線量を測定するための放射線測定装置が取付けられていることを特徴とする１８Ｆ  ＦＤＧ（フルオロデオキシグルコース）合成室。
【請求項２】
活性炭素繊維フィルターが、交換可能なカートリッジタイプのものであることを特徴とする請求項１に記載の合成室。
【請求項３】
陽電子放射断層診断装置において診断薬として用いられる１８Ｆ  ＦＤＧ（フルオロデオキシグルコース）を合成する合成室から排出される放射性物質を除去する方法において、合成室の排気口に活性炭素繊維フィルターを配設して放射性物質を除去すること、及び活性炭素繊維フィルターの上流側及び下流側に放射線測定装置を取り付けて活性炭素繊維フィルターの上流側及び下流側の放射線量を測定することを特徴とする方法。
【請求項４】
活性炭素繊維フィルターが、交換可能なカートリッジタイプのものであり、測定した活性炭素繊維フィルターの下流側の放射線量及び／又は下流側／上流側の放射線量比の値が設定値以上になったときに放射線測定装置がそれを知らせることを特徴とする請求項３に記載の方法。
【発明の詳細な説明】
【技術分野】
【０００１】
本発明は、陽電子放射断層診断において診断薬として用いられる１８Ｆ  ＦＤＧ（フルオロデオキシグルコース）を合成する施設（合成室）、及びそこから排出される放射性物質の除去方法に関する。
【背景技術】
【０００２】
医療機関では、癌発生部位の早期発見、早期治療の要求から、腫瘍に集まる性質を持つ化合物の一部の元素を放射性核種に置き換え、患者に投与し、体外から放射線を計測し、腫瘍部位を特定する放射線診断（インビボ診断）が行われている。近年、患者の不要な被ばくを避けるために、半減期が短く物質透過性の高いγ線を持つ放射性核種で標識した化合物が求められ、１崩壊（β＋壊変）につき５１１ｋｅＶのγ線を反対方向に２本放出する、ポジトロン放出核種による標識化合物が用いられている。この標識化合物を用いた診断装置は、陽電子放射断層撮影装置（ＰＥＴ：Ｐｏｓｉｔｒｏｎ  Ｅｍｉｓｓｉｏｎ  Ｔｏｍｏｇｒａｐｈｙ）と呼ばれ、小さな腫瘍部位まで発見できることから、多くの医療機関で設置されている。
【０００３】
標識化合物に主に用いられる放射性核種は、１１Ｃ、１３Ｎ、１５Ｏ、１８Ｆなどである。これらの核種は、その半減期（寿命）の短さから、主に実際に診断を行う医療機関において、陽子や重陽子を加速する超小型サイクロトロンによって製造される。製造後、これら核種は、自動的に合成装置に送られて医療用診断薬（標識化合物）となる。標識化合物は、純度や投与量の調整後、検査室で被検者に投与される。腫瘍細胞の糖分の消費が高いことを利用した多糖類、１８Ｆ  ＦＤＧ（フルオロデオキシグルコース）が近年良く用いられている。１８Ｆは、水（Ｈ２Ｏ）の構成原子である酸素を非放射性同位体である１８Ｏで置き換えたＨ２１８Ｏ（ターゲット）にサイクロトロンで加速した陽子を照射して得られる。１８Ｆ  ＦＤＧは、合成室と呼ばれる小さなクリーンルームに置かれた専用の自動合成装置でフッ素化といわれる工程を経て合成される。
【０００４】
自動合成装置は、ヘリウム漏洩検出器などにより漏洩検査がなされている。しかし、試薬、器具及びイオン交換樹脂カラムなどの交換・接続時に接続部分から漏洩する可能性がある。また、反応系内のガスを系外に放出する際に含まれる未反応の１８Ｆはソーダライム等の吸収剤により除去されるが、使われている吸収剤の劣化が原因で１８Ｆが放出されることがある。漏洩する容量が微小であっても、放射線量としては非常に多い。製造を途中で中止した場合、放射能の減衰を待って分解・洗浄等を行わなくてはならないため、その日のうちに再度製造・合成を行うことは困難である。また、漏洩量が多く、排気中の放射性物質濃度が上がり、関係法令で定められた規制値を越えると、法令違反扱いとなり、しばらく放射性医薬品の製造、診断業務を中止しなければならず、患者に迷惑をおよぼす。そのため、合成室内に設置された自動合成装置から僅かな漏洩で生じた汚染された空気は、合成室に接続するダクトによって放射線施設の排気浄化設備に運ばれ、そこでＨＥＰＡフィルターやチャコールフィルターにより浄化される。
【０００５】
一方、１８Ｆ  ＦＤＧを合成する際には未反応のフッ化水素（ＨＦ）がガス成分に多量に含まれているが、ＨＥＰＡフィルターはガス成分の浄化には対応していない。ガス成分に対応するためには一般的には放射線施設の排気浄化設備にチャコールフィルターを設置する必要がある。しかしながら、排気浄化設備におけるチャコールフィルターは、空気中に含まれる微量ガスや湿気を吸着し、１８Ｆガス及び中間生成物の捕集性能が劣化（ウェザリング）する。また、排気浄化設備は合成室以外の室内空気も浄化するようにダクトが接続されているため、劣化が激しく、処理風量も多いため、交換する場合フィルターが大型となりコスト高となる。
【発明の開示】
【発明が解決しようとする課題】
【０００６】
本発明は、上記の従来技術の問題を解消するために創案されたものであり、その目的は、陽電子放射断層診断装置において使用される１８Ｆ  ＦＤＧ（フルオロデオキシグルコース）を合成する合成室内から発生するガス状の放射性物質を監視しつつ効率よく捕集できる合成室、及びそこから排出される放射性物質の除去方法を提供することにある。
【課題を解決するための手段】
【０００７】
本発明者らは、かかる目的を達成するために放射性物質の除去に好適な合成室について鋭意検討した結果、本発明の完成に至った。
即ち、本発明は、陽電子放射断層診断装置において診断薬として用いられる１８Ｆ  ＦＤＧ（フルオロデオキシグルコース）を合成する合成室において、合成室の排気口に放射性物質を除去するための活性炭素繊維フィルターが配設されていること、及び活性炭素繊維フィルターの上流側及び下流側に各側の放射線量を測定するための放射線測定装置が取り付けられていることを特徴とする１８Ｆ  ＦＤＧ（フルオロデオキシグルコース）合成室である。
【０００８】
本発明の合成室の好ましい態様では、活性炭素繊維フィルターが、交換可能なカートリッジタイプのものである。
【０００９】
また、本発明は、陽電子放射断層診断装置において診断薬として用いられる１８Ｆ  ＦＤＧ（フルオロデオキシグルコース）を合成する合成室から排出される放射性物質を除去する方法において、合成室の排気口に活性炭素繊維フィルターを配設して放射性物質を除去すること、及び活性炭素繊維フィルターの上流側及び下流側に放射線測定装置を取り付けて活性炭素繊維フィルターの上流側及び下流側の放射線量を測定することを特徴とする方法である。
【００１０】
本発明の方法の好ましい態様では、活性炭素繊維フィルターが、交換可能なカートリッジタイプのものであり、測定した活性炭素繊維フィルターの下流側の放射線量及び／又は下流側／上流側の放射線量比の値が設定値以上になったときに放射線測定装置がそれを知らせる。
【発明の効果】
【００１１】
本発明によれば、圧力損失が小さく捕集効率の高い活性炭素繊維フィルターを合成室の排気口に取付けることにより、１８Ｆガス及び中間生成物の局所捕集が可能となり、放射線科全体の排気浄化設備に設置したチャコールフィルターによる除去に比べ極めてコストの低い排気処理が可能である。また、合成室から漏洩した１８Ｆガス及び中間生成物を確実に捕集するので、排気中の放射線量が限度を超えるおそれは極めて低く法令違反を防ぐ効果がある。また、活性炭素繊維フィルターの上流側及び下流側の空気中の放射線量を監視することにより、１８Ｆガス及び中間生成物漏洩の有無及び漏洩箇所の特定ができ、かつ取り付けた活性炭素繊維フィルターの劣化程度（交換時期）の判断ができる。また、活性炭素繊維フィルターはカートリッジタイプとなっており、簡単に交換することが可能である。
【発明を実施するための最良の形態】
【００１２】
本発明の合成室及びそこでの放射性物質の除去方法を以下に説明する。
【００１３】
図１は、本発明の１８Ｆ  ＦＤＧ（フルオロデオキシグルコース）の合成室の一例の概略図を示す。本発明の合成室は、活性炭素繊維フィルター及び放射線測定装置を設置していることを除いては基本的に従来の１８Ｆ  ＦＤＧの合成室と同じ態様のものである。
【００１４】
本発明の合成室における１８Ｆ  ＦＤＧの合成及び放射性物質の除去の流れを図１に基づいて説明する。まず、外気が外調器１によって取り入れられ、その外気はプレフィルター（ＨＥＰＡフィルター）によって浄化され、ファン３、ダンパー４によって流量調整しながら合成室内５に入り、合成装置６に送られる。合成装置６では、この外気を利用して１８Ｆ  ＦＤＧが合成され、合成された標識化合物が陽電子放射断層診断装置に送られる（図示せず）。一方、合成室内では、メンテナンス時の配管の取替え、接続時に１８Ｆガスや中間生成物等の放射性物質が漏れて存在することがある。この放射性物質は、合成室の排気口に配設された活性炭素繊維フィルター８によって除去され、浄化された気体は、ダンパー４で流量調整されながら排気ダクト７を経て放射線施設の排気浄化装置に送られる。
【００１５】
活性炭素繊維フィルター８の上流側（合成室側）と下流側（排気ダクト側）には、それぞれの側の放射線量を測定するためにビニル管等のサンプリングチューブ９ａ，９ｂが取り付けられ、サンプリングされた空気はサンプリングポンプ１２ａ，１２ｂによって例えば１５ｌ／分の速度でこれらのチューブを経て検出室１０ａ，１０ｂに送られ、そこでＧＭ管１１ａ，１１ｂによって放射線量が測定され、サーベイメータ計測部１３ａ，１３ｂで記録される。
【００１６】
図２は、合成室の排気口における活性炭素繊維の取り付け部分の拡大図を示す。図２に示すように、活性炭素繊維８は、交換可能なようにカートリッジタイプのものであり、フィルターフレーム１５に固定される。使用される活性炭素繊維フィルターは、放射性核種１８Ｆの捕集効率が高く、成型可能な形態を有し、かつ通気抵抗の低いものが望ましい。例えば、活性炭素繊維には不織布状、織布状、編地状のものがあるが、フィルターにする形状や交換周期、設置スペースや処理能力に応じて適宜選択される。これら活性炭素繊維は平板状のシートに補強用のための化学繊維で構成されるシートを積層・接着し、複合ろ材として所定の寸法にカットし、フィルターとして供されることが好ましい。ろ材は平板状での使用か、または取り付けスペースに余裕がある場合、交換周期を長くするため菊花状やプリーツ状に成形して幾何表面積を上げたフィルターとして取り付けても良い。活性炭素繊維は、１３００ｍ２／ｇ以上の比表面積の材料で放射性物質を捕集することが好ましい。放射性物質の捕集は短期間であれば活性炭素繊維はそのままで使用できるが、数ヶ月の使用を想定する場合、長期通気（ウェザリング）による劣化の影響が出てくる場合がある。ウェザリングによる劣化は、大気中の酸性ガスの影響が大きいと考えられ、劣化を防止するために未反応の活性炭素繊維にアルカリ性物質を添着することが好ましい。添着が可能なアルカリ性物質には水酸基を有するもの、炭酸塩、アミン類などがあるが、特に、１，４−ジアザビシクロ−（２，２，２）オクタン（ＤＡＢＣＯ）はウェザリング特性が良く、好適に用いられる。得られた活性炭フィルターはカートリッジによる交換が可能なようにフレームに取り付けられる。フレームは使用後に燃焼可能なものであることが好ましく、特に厚紙、プラスチック、合板が好適に用いられる。
【００１７】
除去すべき１８Ｆは陽電子及びγ線を放出するため、放射線量の測定にはガイガーミュラー（ＧＭ）カウンターや電離箱、シンチレーションカウンターなどの放射線測定装置を用いる。測定した放射線量をリアルタイムで連続して表示・記録するためには、チャート紙やデータロガー等を使用することが好ましい。また、本発明では、測定した活性炭素繊維フィルターの下流側の放射線量が設定値以上になった場合及び／または下流側の放射線量／上流側の放射線量の比の値が設定値以上になった場合に、放射線測定装置がそれを表示または音などで知らせるようにすることができる。これにより活性炭素繊維フィルターの交換時期や合成室内の異常を迅速に知ることができる。
【実施例】
【００１８】
以下に実施例を示すが、以下の実施例は本発明を制限するものではなく、本発明の趣旨を逸脱しない範囲で変更実施することは全て本発明の技術範囲に包含される。
【００１９】
（フィルターの製造）
目付６０ｇ／ｍ２、厚み０．５０ｍｍ、比表面積１３５０ｍ２／ｇ、繊維径１２μｍの繊維状活性炭からなる編物状シート２枚を目付１５ｇ／ｍ２の熱溶融性接着シート（鞘ＰＶＡ／芯ＰＰ）により８２℃で積層接着してシート化した。さらに該シートに１，４−ジアザビシクロ−（２，２，２）オクタン（ＤＡＢＣＯ）を１４重量％添着し、さらに両側に目付２５ｇ／ｍ２のポリプロピレン製スパンボンド不織布を目付１５ｇ／ｍ２の熱溶融性接着シート（鞘ＰＶＡ／芯ＰＰ）で接着し、活性炭素繊維ろ材を得た。該ろ材を１５０ｍｍ角にカットし、接着剤を塗布した外寸１５ｃｍ角、内寸１４ｃｍ角、厚み１．０ｍｍの正方形の厚紙枠２枚で挟み、フィルターとした。
【００２０】
（フィルター及び放射線測定装置の取り付け）
内容積１．２ｍ３の図１に示すような合成室の上面にある内寸１５０ｍｍΦの排気口の排気風速を秒速１ｍに設定し、外寸１５０ｍｍ角、内寸１４０ｍｍ角のフレームを取り付け、フレームに上で作製したフィルターを取り付けた。フィルターとフレームの取り付けは、外寸１５０ｍｍ角、内寸１４０ｍｍ角のフレームをもう１枚用意し、ねじ止めした。フィルターの上流側と、フィルターの下流側にサンプリングのためのビニル管を取り付け、各々をポンプに接続し、フィルターの上下流の空気をサンプリングできるように設置した。サンプリングされた空気は上下流各々毎分１５リットルで内径８０ｍｍ、高さ５０ｍｍの円筒形の空間に送られ、空間上部に設置されたＧＭカウンターと記録計によって空気中の放射線量が測定されるようにした。
【００２１】
（捕集効率の測定）
１８Ｆ  ＦＤＧの合成室を実際に稼動させ、合成開始から２５分後のピーク時での捕集効率を測定したところ、８３％であった。なお、この捕集効率の測定では結果を迅速に得るために排気口の風速を通常の８ｃｍ／秒ではなく、１ｍ／秒を採用して行った。
【図面の簡単な説明】
【００２２】
【図１】本発明の合成室の概略図の一例を示す。
【図２】本発明の合成室で用いる活性炭素繊維フィルターの取付部の一例を示す。
【符号の説明】
【００２３】
１    ：  外調器
２    ：  プレフィルター（ＨＥＰＡフィルター）
３    ：  ファン
４    ：  ダンパー
５    ：  合成室内
６    ：  合成装置
７    ：  排気ダクト
８    ：  活性炭素繊維フィルター
９ａ  ：  サンプリングチューブ（上流側）
９ｂ  ：  サンプリングチューブ（下流側）
１０ａ：  検出室（上流側）
１０ｂ：  検出室（下流側）
１１ａ：  ＧＭ管（上流側）
１１ｂ：  ＧＭ管（下流側）
１２ａ：  サンプリングポンプ（上流側）
１２ｂ：  サンプリングポンプ（下流側）
１３ａ：  サーベイメーター計測部（上流側）
１３ｂ：  サーベイメーター計測部（下流側）
１４  ：  記録計
１５  ：  フィルターフレーム
【図１】
2010127662.tif 000003
【図２】
2010127662.tif 000004